(57)【特許請求の範囲】
【請求項１】
前出し本体上にある商品をその自重に起因して働く分力により商品取出部位と定めた側に移動させる作動機構を含むと共に、前記前出し本体は複数列の商品を載置し得るサイズを有してなる商品前出し機と、該商品前出し機に着脱自在であると共にこれに着した状態で平行移動可能な仕切り板と、からなり、前記仕切り板の少なくとも一端に少なくとも商品一個分を挟む長さを有するものであって、商品列を該仕切り板で挟み込んだ際、隣り合う幅調節スペーサ間の幅寸法が、隣り合う幅調節スペーサの無い仕切り板間の幅寸法より小となる幅調節スペーサを設けたことを特徴とする商品陳列ユニット。
【請求項２】
前記仕切り板は２個の係り止めを有し、該係り止めは前記商品前出し機に設けた溝内をスライド可能である請求項１記載の商品陳列ユニット。
【請求項３】
前記作動機構は前出し本体にローラを架設し、少なくとも使用時に前記ローラを前記商品取出部位側に下り勾配とする請求項１又は２記載の商品陳列ユニット。
【請求項４】
前記作動機構は前出し本体に滑り材を設け、少なくとも使用時に前記滑り材を前記商品取出部位側に下り勾配とする請求項１又は２記載の商品陳列ユニット。
【請求項５】
前記商品前出し機は連結可能である請求項１〜４のいずれか１項記載の商品陳列ユニット。
【請求項６】
商品落下防止具を前記仕切り板の少なくとも一端に設ける請求項１〜５のいずれか１項に記載の商品陳列ユニット。
【請求項７】
前記商品落下防止具は前記商品取出部位と定めた側の前記前出し本体に着脱自在に設けられた請求項６に記載の商品陳列ユニット。
【発明の詳細な説明】
【０００１】
【発明の属する技術分野】
本発明は、主にコンビニエンスストアーやスーパー等の店内に設置されている商品陳列棚等に載置することにより用いられ、商品の自動前出しが容易に出来る商品陳列ユニットに関する。
【０００２】
【従来の技術】
従来、コンビニエンスストアーやスーパー等では、図９に示すような商品陳列ケース５０の各商品陳列棚５１に、多種類の商品５２が豊富に陳列されている。商品５２は手前の方から売れてゆくため、必然的に手前の部分が空くことになるから、奥にある商品５２を手前に出す所謂前出し作業が必要となる。この為、種々の自動又は半自動の前出し機能を備えた商品陳列棚又は商品陳列具が多数提案されている。例えば、収納ケース５３の底部に多数のローラ５４が商品陳列ケース５０の扉５５側に下り勾配となるように取り付けられた商品陳列ユニット５６がある（特開平８−２４０９１号公報参照）。この商品陳列ユニット５６は、商品５２を仕切る機能を有する側板５７、５７における幅寸法が決められているから、その幅寸法に適合する商品５２のみが利用できる。従って、商品５２のサイズに合わせた複数種類の商品陳列ユニット５６を取り揃えておく必要がある。
【０００３】
【発明が解決しようとする課題】
従来の商品陳列ユニット５６は、上記の通り複数種類のものを取り揃えておく必要があるから、その費用が高く管理も煩雑となりやすい。また、この商品陳列ユニット５６はサイズが決まっているから、商品陳列ケース５０内の各商品陳列棚５１の模様替えをするときの自由度が低く、やりずらい。更に、この商品陳列ユニット５６は、商品５２毎に１台必要になり、その製作費用が高くなりがちである。そこで、図１０に示すように、自動前出しを維持しつつ、商品５２のサイズに合わせて、商品５２を仕切る機能を有する側板、すなわち、仕切り板５７ａ、５７ａ間における幅寸法を自在に決め、そのまま位置止め出来る商品陳列ユニット５６ａが考えられる。しかし、この商品陳列ユニット５６ａは、上記の従来例と同様に商品５２毎あるいは１商品列毎に１台必要になり、その採用に際して全費用が高くなりがちである。加えて、その仕切り板５７ａがほぼ中央にあるため、複数の商品陳列ユニット５６ａを商品５２のサイズに合わせて商品陳列棚５１上にセットして行くと、そのセットの両端に使用されないローラ５４が残り無駄となるし、商品陳列棚５１を占拠して空きスペースとなる。この空きスペースが出ないようにするためには、商品陳列ユニット５６ａを仕切り板５７ａから２分割した形状の商品陳列ユニット半体が別に必要になって、保有あるいは保管すべき構成品の種類が増える結果となってしまう。
【０００４】
従って、本発明の目的は、複数列の商品を同時に載置出来て構成品数を減らし、商品のサイズに合わせた円滑な自動前出しを確保しつつ、模様替えを容易にし、無駄スペースの発生を防ぎ、保有あるいは在庫管理をすべき構成品の種類が少なくて済む商品陳列ユニットを提供することにある。
【０００５】
【課題を解決するための手段】
かかる状況において、本発明者は、鋭意検討を行った結果、前出し本体上にある商品をその自重に起因して働く分力により商品取出部位と定めた側に移動させる作動機構を含むと共に、前出し本体は複数列の商品を載置し得るサイズを有する様に商品前出し機を構成し、この商品前出し機に着脱自在であると共にこれに着した状態で平行移動可能な仕切り板を設ければ、商品のサイズに応じて仕切り板をセット出来、数量も種類も少ない構成部品で、商品に制約されないで円滑な自動前出しを維持し、使用されない部分の発生や無駄なスペースの発生も防げることを見い出し、本発明を完成するに至った。
【０００６】
すなわち、本請求項１に係る発明は、前出し本体上にある商品をその自重に起因して働く分力により商品取出部位と定めた側に移動させる作動機構を含むと共に、前記前出し本体は複数列の商品を載置し得るサイズを有してなる商品前出し機と、該商品前出し機に着脱自在であると共にこれに着した状態で平行移動可能な仕切り板と、からなり、前記仕切り板の少なくとも一端に少なくとも商品一個分を挟む長さを有するものであってあって、商品列を該仕切り板で挟み込んだ際、隣り合う幅調節スペーサ間の幅寸法が、隣り合う幅調節スペーサの無い仕切り板間の幅寸法より小となる幅調節スペーサを設けたことを特徴とする商品陳列ユニットを提供するものである。かかる構成を採ることにより、前出し本体に仕切り板を嵌め、各仕切り板間に商品をそれぞれ載置して複数列とし、商品毎のサイズに応じて仕切り板をセットすれば、前出し本体上の商品を作動機構により仕切り板に沿って商品取出部位側に移動させ得る。また、仕切り板をスライドさせて商品に幅調節スペーサを軽く当てるようにして仕切り板の位置決めをし、商品を挟んだ状態の仕切り板間の距離を決める。
【０００７】
また、本請求項２に係る発明は、前記仕切り板は２個の係り止めを有し、該係り止めは前記商品前出し機に設けた溝内をスライド可能である商品陳列ユニットを提供するものである。かかる構成を採ることにより、上記機能に加え、溝内に仕切り板の係り止めを嵌め、スライドさせて前出し本体上の商品のサイズに応じて仕切り板をセットすることが出来る。
【０００９】
また、本請求項３に係る発明は、前記作動機構は前出し本体にローラを架設し、少なくとも使用時に前記ローラを前記商品取出部位側に下り勾配とする商品陳列ユニットを提供するものである。かかる構成を採ることにより、上記機能に加え、作動機構に摩擦係数が少ないとされる転がり摩擦のローラを採用したから、ローラ上の商品は自重に起因して働く分力により容易確実に商品取出部位側に移動できる。
【００１０】
また、本請求項４に係る発明は、前記作動機構は前出し本体に滑り材を設け、少なくとも使用時に前記滑り材を前記商品取出部位側に下り勾配とする商品陳列ユニットを提供するものである。かかる構成を採ることにより、上記機能に加え、作動機構に摩擦係数が小さい滑り摩擦の滑り材を採用したから、滑り材上の商品は自重に起因して働く分力により容易確実に商品取出部位側に移動できる。
【００１１】
また、本請求項５に係る発明は、前記商品前出し機は連結可能である商品陳列ユニットを提供するものである。かかる構成を採ることにより、商品前出し機を必要に応じて順次連結することが出来る。
【００１２】
また、本請求項６に係る発明は、商品落下防止具を前記仕切り板の少なくとも一端に設ける商品陳列ユニットを提供するものである。かかる構成を採ることにより、仕切り板に設けた商品落下防止具により、商品取出部位に達した商品が前出し本体上から落下しない。
【００１３】
また、本請求項７に係る発明は、前記商品落下防止具は前記商品取出部位と定めた側の前記前出し本体に着脱自在に設けられた商品陳列ユニットを提供するものである。かかる構成を採ることにより、前記前出し本体に設けた商品落下防止具によっても、商品取出部位に達した商品が前出し本体上から落下しない。
【００１４】
【発明の実施の形態】
以下、実施の形態を挙げて本発明を図１〜８に基づいて詳述する。
図１は本発明の実施形態である商品陳列ユニットの部品構成を示す斜視図、図２は商品陳列ユニットを構成する仕切り板を示す斜視図、図３は商品陳列ユニットを組み立てた状態を示す斜視図、図４は商品陳列ユニットの使用状態を示す斜視図である。図において、商品陳列ユニット１は、前出し本体２上にある商品３をその自重に起因して働く分力により商品取出部位Ａと定めた側に移動させる作動機構４を含むと共に、前出し本体２は複数列の商品３を載置し得るサイズを有してなる商品前出し機５と、この商品前出し機５に着脱自在であると共にこれに着した状態で平行移動可能な仕切り板６と、商品取出部位Ａに近傍に設けて商品３の落下を防ぐ商品落下防止具７と、からなるものである。
【００１５】
前記前出し本体２は、細長い２枚の側板１０、１１が、その両端に商品取出部位Ａ側に位置する側板１２及びその反対側の側板１３が取り付けられ、これら側板１２及び側板１３の間には側板１０及び１１と平行に３枚の中板１４、１５、１６が渡されている。そして、側板１２及び１３は複数列の商品３を並べるのに充分な長さを持ち、これらの側板１０と中板１４との間に、中板１４と中板１５との間に、中板１５と中板１６との間に、中板１６と側板１１との間に、前記作動装置４、すなわち、多数のローラ１７が回転自在に架設されている。従って、商品前出し機５を、例えば、商品取出部位ＡあるいはＢと定めた側に傾斜させれば、多数のローラ１７上の複数列の前記商品３は、その自重に起因して常時働く分力により、商品取出部位ＡあるいはＢ側に移動する。この場合は商品３の形態に応じて傾斜角を決められることが出来るから、都合がよい。
なお、前出し本体２自体が、図３の二点鎖線に示すように、予め商品取出部位Ａ側に傾斜していても良く、この場合は使用時に一々傾斜させる手間が省ける。また、前出し本体２の側板１０には商品前出し機５同士を連結するための係合穴１０ａが明けられ、側板１１には係合穴１０ａに連結する係合片１０ｂが取り付けれ、これら周知構造の係合穴１０ａに係合片１０ｂを差し込むことで、商品前出し機５同士を連結出来るようになっている。
【００１６】
更に、前出し本体２の側板１２及び１３の下端部に断面がほぼコ字状の部材１８及び１９が延出して、Ｌ字状の溝２０及び２１を形成している。これら溝２０及び２１には、前記仕切り板６が嵌められる。この仕切り板６は、図２の右から３番目に図示するが、平板２２の少なくとも一端に係り止め２３を設けたものが基本形態である。この図２では、他端にも係り止め２４を設けてあるが、この場合の方が平行移動するときスムーズに動いて都合が良い。なお、図１の実施例の仕切り板６ａは、平板２２の両端に係り止め２３及び２４を設け、更にその上部に前述の商品落下防止具７を設け、加えて、係り止め２３側の平板２２端部に後に詳述する幅調節スペーサ３０を設けてなる。従って、商品前出し機５のＬ字状の溝２０及び２１に仕切り板６ａの両端にある係り止め２３及び２４を嵌め、仕切り板６ａをスライドさせて、幅調節スペーサ３０を用いてその商品３に都合の良い仕切り板６ａ間距離を決め、傾斜させて商品３を商品取出部位Ａ側に移動させ得るが、係り止め２３上部の商品落下防止具７により商品３の落下を防げる。
【００１７】
また、仕切り板６は、図２に示す様に種々の形態があり、右から４番目の仕切り板６ｂは、商品前出し機５上の商品列の両端に設けるもので、左端及び右端に設けることが出来るように、例えば、幅調節スペーサ３０を採用する様な場合には、平板２２の両端に設けている。右から２番目の仕切り板６ｃは、平板２２の両端に商品落下防止具７と係り止め２３及び２４とが一体となった落下防止用係り止め２５及び２６が平板２２と別体に構成され、これら落下防止用係り止め２５及び２６が平板２２の両端に差し込まれている、ものである。右端の仕切り板６ｄは、仕切り板６ｃの平板２２が丸棒２７に変わったものである。なお、仕切り板６には、その平板２２の一端あるいは両端に幅調節スペーサ３０が設けられていても良く、仕切り板６ｃ及び６ｄには、落下防止用係り止め２５及び２６の片方あるいは両方に幅調節スペーサ３０が設けられていても良い。また、仕切り板６ｅの様に係り止め２４が平板２２の一端あるいは両端にでなく、中間であっても良いし（図６参照）、この仕切り板６ｅは、係り止め２３側の平板２２端部に幅調節スペーサ３０を設けても良い。
【００１８】
幅調節スペーサ３０は、商品取出部位ＡあるいはＢ側の仕切り板６端部に位置させるのが最も良く、少なくとも商品一個分の奥行き長さを持つ幅調節スペーサ３０が平板２２に設けられている。これは、商品３の種類によりその寸法が異なるから、仕切り板６間の最適距離を決め、商品前出し機５同士の位置決めするのに、幅調節スペーサ３０で最低限一個の商品３を挟めなければならない、ことによる。また、この幅調節スペーサ３０の厚みは、これが無い仕切り板６間において、商品３との間にどの程度の余裕があれば、多数のローラ１７上の商品３が最もスムーズに商品取出部位ＡあるいはＢに移動するかにより、決定される。すなわち、幅調節スペーサ３０の厚みは、各種商品についての実験及び経験則に基づき決定される。なお、幅調節スペーサ３０は、商品取出部位Ａ側の平板２２の端部に着脱自在な構成であっても良い。幅調節スペーサ３０がこのように構成されていると、幅調節機能の無い商品前出し機に幅調節機能を付与出来て都合が良い。
【００１９】
次に、上記構成になる商品陳列ユニット１の使用方法を説明する。
まず、必要数の商品前出し機５と、幅調節スペーサ３０が一体に形成された必要数の仕切り板６ａと、端に使う仕切り板６ｂとを用意する。次に、商品前出し機５の溝２０及び２１に仕切り板６ａを嵌め、必要に応じて仕切り板６ｂも嵌める。この状態で、図９に示すような商品陳列ケース５０内の商品陳列棚５１に、商品前出し機５を、その商品取出部位ＡあるいはＢが扉５５側に位置するように載置収納し、かつ傾斜させる。そして、図４に示すように、商品前出し機５上の仕切り板６ａ間のローラ１７上に商品３を置き、仕切り板６ａを幅寄せスライドさせ、双方の幅調節スペーサ３０にて商品３を軽く当てた状態で位置決めし、仕切り板６ａをセットする。更に商品３を並べたい場合には、仕切り板６ａを順次追加し上記と同様にセットすれば良く、商品前出し機５が不足したら、その係合穴１０ａに追加の商品前出し機５の係合片１０ｂを差し込むか、その追加の商品前出し機５の係合穴１０ａに係合片１０ｂを差し込むことで、商品前出し機５同士を連結すれば良い。なお、最終的に両端に仕切り板６ｂが位置するようにすれば良い。そして、図５に示す各仕切り板６ａ間に出来た商品列に商品３が一杯になるまで入れ、この状態で商品３を取り出すと、各幅調節スペーサ３０と仕切り板６ａとの間の幅寸法Ｘは商品３の幅寸法Ｙとほぼ等しく、各仕切り板６ａ間の幅寸法Ｚは商品３の幅寸法より程よく大きく（Ｘ≒Ｙ＜Ｚ）、仕切り板６ａ間の距離が自動前出しに最適に設定されているから、続く商品３は幅調節スペーサ３０の無い区間の仕切り板６ａにガイドされ、先頭の商品３が矢線Ｃ方向に商品落下防止具７に当たるまで移動する。
【００２０】
図６は本発明の他の実施形態である商品陳列ユニット１ａを示し、図１及び図３〜図５に示す商品陳列ユニット１との相違点は、仕切り板６ｅの係り止め２４が平板２２の中間部にあるから、それに合わせて商品前出し機５ａの溝２１が前出し本体２ａの中間部にあり、従って、商品落下防止具７が必要なく、更に幅調節スペーサ３０が前記商品取出部位Ａ側の平板２２端部に無い点にある。その他の構成、作用は図１及び図３〜図５の実施形態とほぼ同様であるから、図面に符号を付してその説明を省略する。
【００２１】
図７は本発明の他の実施形態である商品陳列ユニット１ｂを示し、図１及び図３〜図５に示す商品陳列ユニット１との相違点は、商品前出し機５ｂの作動装置４ｂが前出し本体２ｂ上に張られた上板３１に設けられたリブ状の滑り材３２であり、更に幅調節スペーサ３０が前記商品取出部位Ａ側の仕切り板６ｆ端部に無い点にある。このリブ状の滑り材３２は特に限定が無いが、それ以外の滑り材、例えば、平面状の滑り材であっても良く、摩擦係数μが限りなく零に近いものが良いのは言うまでもない。従って、この摩擦係数μが、商品前出し機５での多数のローラ１７のころがり摩擦と同等のリブ状の滑り材３２を選択すれば、商品前出し機５と同じ傾斜角でもリブ状の滑り材３２上の前記商品３は、その自重に起因して常時働く分力により、同じように商品取出部位Ａ側に移動する。多数のローラ１７が必要なくなる点でメリットがある。その他の構成、作用は図１及び図３〜図５の実施形態とほぼ同様であるから、図面に符号を付してその説明を省略する。
【００２２】
図８は本発明の他の実施形態である商品陳列ユニット１ｃを示し、商品陳列ユニット１ｃと、図１及び図３〜図５に示す商品陳列ユニット１との相違点は、商品前出し機５ｃのコ字状部材１８の外側に、Ｌ字状部材３３を更に延出して溝３４を形成し、この溝３４には、透明の長板である商品落下防止具７ａが嵌められ、従って、仕切り板６ｇの商品取出部位Ａ側端部には商品落下防止具７が無く、更に幅調節スペーサ３０も無い点にある。その他の構成、作用は図１及び図３〜図５の実施形態とほぼ同様であるから、図面に符号を付してその説明を省略する。
【００２３】
以上、本発明の実施形態を説明したが、具体的な構成はこれに限定されず、本発明の要旨を逸脱しない範囲での変更、追加は本発明の範囲内である。
【００２４】
【発明の効果】
以上詳述したように、請求項１の発明によれば、前出し本体に複数の仕切り板を嵌め、各仕切り板間に商品をそれぞれ載置して複数列とし、商品毎のサイズに応じて仕切り板をセットすれば、前出し本体上の商品を作動機構により仕切り板に沿って商品取出部位側に移動させ得る。従って、商品を同時に複数列に載置出来るから構成品数を減らすことが出来、商品のサイズに制約されないで円滑な自動前出しを確保しつつ、模様替えが容易に出来、無駄スペースの発生を防ぎ商品陳列ケース等の有効利用が可能となり、しかも保有あるいは在庫管理をすべき構成品の種類が少なくて済む効果がある。
【００２５】
請求項２の発明によれば、溝内に仕切り板の係り止めを嵌め、スライドさせて前出し本体上の商品のサイズに応じて仕切り板をセットするとが出来る。従って、上記効果に加え、仕切り板を前出し本体上に載置した商品のサイズに応じて、容易にセット出来る。
【００２６】
請求項３の発明によれば、仕切り板をスライドさせて商品に幅調節スペーサを軽く当てるようにして仕切り板の位置決めをし、商品を挟んだ状態の仕切り板間の距離を決める。従って、上記効果に加え、商品に応じて移動させるのに最適な仕切り板間の距離を簡単に決めることが出来る。
【００２７】
請求項４の発明によれば、作動機構に摩擦係数が少ないとされる転がり摩擦のローラを採用したから、ローラ上の商品は自重に起因して働く分力により容易確実に商品取出部位側に移動できる。従って、上記効果に加え、ローラ上の商品は常に商品取出部位側に移動しようとしているから、手前の商品を取り出せば、次の商品が直ぐに商品取出部位に移動して、前出し作業をすることなく次々と容易に商品を取り出せる。
【００２８】
請求項５の発明によれば、作動機構に摩擦係数が小さい滑り摩擦の滑り材を採用したから、滑り材上の商品は自重に起因して働く分力により容易確実に商品取出部位側に移動できる。従って、上記効果に加え、滑り材を採用しても、その上の商品は常に商品取出部位側に移動しようとし、手前の商品を取り出せば、次の商品が直ぐに商品取出部位に移動して、前出し作業をすることなく次々と容易に商品を取り出せる。
【００２９】
請求項６の発明によれば、商品前出し機を必要に応じて順次連結することが出来る。従って、上記効果に加え、大型やサイズ違いの商品陳列ケースにも対応出来る。
【００３０】
請求項７の発明によれば、仕切り板に設けた商品落下防止具により、商品取出部位に達した商品が前出し本体上から落下しない。従って、上記効果に加え、簡易な一体構成となり、少ない構成品数にて商品落下による怪我や商品の破損を防ぐことが出来る。
【００３１】
請求項８の発明によれば、前出し本体に設けた商品落下防止具によっても、商品取出部位に達した商品が前出し本体上から落下しない。従って、上記効果に加え、少ない構成品数にて商品落下による怪我や商品の破損を防ぐことが出来る。
【図面の簡単な説明】
【図１】本発明の実施形態である商品陳列ユニットの部品構成を示す斜視図。
【図２】商品陳列ユニットを構成する仕切り板を示す斜視図。
【図３】商品陳列ユニットを組み立てた状態を示す斜視図。
【図４】商品陳列ユニットの使用状態を示す斜視図。
【図５】商品陳列ユニットの使用状態を示す平面図。
【図６】本発明の他の実施形態である商品陳列ユニットの使用状態を示す斜視図。
【図７】本発明の他の実施形態である商品陳列ユニットの構成を示す斜視図。
【図８】本発明の他の実施形態である商品陳列ユニットを示す斜視図。
【図９】従来例を示す斜視図。
【図１０】従来例を示す斜視図。
【符号の説明】
１、１ａ、１ｂ、１ｃ、５６、５６ａ    商品陳列ユニット
２、２ａ、２ｂ、２ｃ    前出し本体
３、５２                商品
４、４ｂ                作動機構
５、５ａ、５ｂ、５ｃ    商品前出し機
６、６ａ〜６ｇ、５７ａ    仕切り板
７、７ａ、７ｂ          商品落下防止具
１０、１１、１２、１３、２２、２３、５７    側板
１０ａ                  係合穴
１０ｂ                  係合片
１４、１５、１６        中板
１７、５４              ローラ
１８、１９              コ字状の部材
２０、２１              Ｌ字状の溝
２２                    平板
２３、２４              係り止め
２５、２６              落下防止用係り止め
２７                    丸棒
３０                    幅調節スペーサ
３１                    上板
３２                    滑り材
３３                    Ｌ字状部材
３４                    溝
５０                    商品陳列ケース
５１                    商品陳列棚
５３                    収納ケース
５５                    扉
【図１】
0004175526.tif 000002
【図２】
0004175526.tif 000003
【図３】
0004175526.tif 000004
【図４】
0004175526.tif 000005
【図５】
0004175526.tif 000006
【図６】
0004175526.tif 000007
【図７】
0004175526.tif 000008
【図８】
0004175526.tif 000009
【図９】
0004175526.tif 000010
【図１０】
0004175526.tif 000011